(57)【要約】【課題】保冷庫本体の底面へのキャスタ取り付けの作業性を向上させる。【解決手段】キャスタ３の矩形の座板７を、その一の取り付け孔８にねじ９を通して吊り下げた状態で、そのねじ９を保冷庫本体２底面の一隅のねじ穴１２にねじ込む。前記ねじ９をねじ込んだ際、座板７の他の取り付け孔８に対向するように、ねじ穴１２がそれぞれ保冷庫本体２底面の一隅に設けられる。このため、座板７の他の取り付け孔８の位置と、保冷庫本体２の底面の一隅のねじ穴１２の位置とが合う。この位置は、座板７の他の取り付け孔８の、保冷庫本体２の底面に対する取り付け位置となる。その後、前記座板７の他の取り付け孔８にねじ９を通し、対応する前記ねじ穴１２にねじ込む。これにより、キャスタ３の座板７の位置合わせをせずに、容易にキャスタ３を保冷庫本体２底面の所定の取り付け位置に取り付けることができる。【選択図】図３
2008002709.tif 000002
【特許請求の範囲】
【請求項１】
座板（７）に車輪（５）を支持するアーム（６）をその軸回りに回転可能に取り付けたキャスタ（３）の前記座板（７）を、保冷庫本体（２）の底面に当てがい、前記座板（７）をその複数の取り付け孔（８）にねじ（９）を通して、保冷庫本体（２）の底面にねじ止めする保冷庫へのキャスタの取り付け方法において、
上記キャスタ（３）を、その座板（７）の一の取り付け孔（８）に上記ねじ（９）を通して吊り下げ、その吊り下げ状態のまま、前記ねじ（９）を上記保冷庫本体（２）の底面にねじ込んだ際、前記座板（７）の他の取り付け孔（８）の位置が、上記保冷庫本体（２）の底面に対して所定の取り付け位置となることを特徴とする保冷庫へのキャスタの取り付け方法。
【発明の詳細な説明】
【技術分野】
【０００１】
この発明は、庫内で物品を保冷する保冷庫本体の底面にキャスタを取り付ける保冷庫へのキャスタ取り付け方法に関するものである。
【背景技術】
【０００２】
従来、保冷の必要な食品の店舗への配送、店舗での夜間における一時保管、配送センターでの仕分け作業等をするために移動式の保冷庫が使用されている。この保冷庫は、この発明の一実施例を示す図１を参照して説明すると、通常、箱形の保冷庫本体の底面にキャスタを取り付け、庫内には蓄冷剤が配置され、この蓄冷剤を保冷庫本体に付設の冷凍サイクルの運転によりを凍結させ、その凍結した蓄冷剤から冷気を徐々に庫内に放出して保冷する（特許文献１  図１参照）。
また、この保冷庫は、キャスタを介してコンテナや配送トラックなどに積み込み、庫内で物品を保冷した状態で店舗や配送センターに移動する。
【特許文献１】特開平１１−１４２２０号公報
【０００３】
この種の保冷庫は、図４に示すように、保冷庫本体２１の底面四隅にキャスタ２２が取り付けられており、この四隅の各キャスタ２２により、その自重および庫内の保冷物品の重量を支えるとともに保冷庫を移動させる。このキャスタ２２は、車輪２３を回転可能に支持するアーム２４と、矩形の座板２５とからなり、座板２５に前記アーム２４をその軸回りに回転可能に取り付けたものであり、その座板２５を、保冷庫本体２１の底面に当てがい、その複数の取り付け孔２７にねじ２６を通して、保冷庫本体２１の底面にねじ止めされる。
【発明の開示】
【発明が解決しようとする課題】
【０００４】
従来、上記キャスタ２２は、座板２５の２本の対角線の交点を通る垂線を回転軸として上記アーム２４が回転可能に取り付けられ、四隅にねじ２６を通す取り付け孔２７が設けられており、上記保冷庫本体２１の底面には、座板２５の各取り付け孔２７と対向するねじ穴２８が設けられる。この各ねじ穴２８は、その隣り合う穴を結ぶ直線が保冷庫本体２１の底面の辺に対して平行または直角となるように設けられる。
【０００５】
このため、上記キャスタ２２の座板２５の一の取り付け孔２７にねじ２６を通し、この一の取り付け孔２７に対応するねじ穴２８にねじ込むと、図５に示すように、このねじ２６を中心にして座板２５が自重により回転し、他の取り付け孔２７とねじ穴２８との位置がずれてしまう。このため、他の取り付け孔２７を介してねじ２６をねじ込もうとすると、その位置ずれした取り付け孔２７とねじ穴２８との位置が合うように座板２５を手で押さえながら、他の取り付け孔２７にねじ２６を通してねじ込む必要があり、キャスタ２２の取り付けの作業性が悪いという問題があった。
【０００６】
そこで、この発明は、保冷庫本体の底面に取り付けられるキャスタ取り付けの作業性を向上させることを課題とする。
【課題を解決するための手段】
【０００７】
上記の課題を解決するために、この発明は、キャスタの座板を、その一の取り付け孔にねじを通して吊り下げ、その吊り下げ状態のまま、前記ねじを保冷庫本体の底面にねじ込んだ際、前記座板の他の取り付け孔の位置が、保冷庫本体の底面の所定の取り付け位置となるようしたのである。
【０００８】
このようにすれば、キャスタの座板を、その一の取り付け孔にねじを通して吊り下げ、その吊り下げ状態で、前記ねじを保冷庫本体の底面にねじ込めば、座板の他の取り付け孔の位置が、保冷庫本体の底面の所定の取り付け位置と合うので、キャスタの座板を手で押さえて、その取り付け孔を保冷庫本体の底面の所定の取り付け位置と合わせる必要がなくなる。
【発明の効果】
【０００９】
この発明は、以上のように、キャスタの座板の位置合わせの必要がなくなるので、容易にキャスタを取り付けることができ、その取り付け作業性を向上させることができる。
【発明を実施するための最良の形態】
【００１０】
この発明の実施形態の保冷庫のキャスタ取り付け方法としては、座板に車輪を支持するアームをその軸回りに回転可能に取り付けたキャスタの前記座板を、保冷庫本体の底面に当てがい、前記座板をその複数の取り付け孔にねじを通して、前記保冷庫本体の底面にねじ止めする保冷庫へのキャスタの取り付け方法において、前記キャスタを、その座板の一の取り付け孔に前記ねじを通して吊り下げ、その吊り下げ状態のまま、前記ねじを前記保冷庫本体の底面にねじ込んだ際、前記座板の他の取り付け孔の位置が、前記保冷庫本体の底面に対して所定の取り付け位置となる構成を採用することができる。
【実施例】
【００１１】
以下、この発明の実施例を図１〜図３に基づいて説明する。この実施例の保冷庫１は、図１に示すように、断熱性を有する箱形の保冷庫本体２と、その底面の四隅にそれぞれ取り付けられたキャスタ３とから構成される。
【００１２】
上記保冷庫本体２は、図１に示すように、前面に保冷物品を出し入れする取手１０を有する扉４を備え、両側面には手を掛ける手掛け部１１が設けられる。この手掛け部１１に手を掛けて前記保冷庫１を移動させたり、回転させたりすることができる。
【００１３】
この保冷庫本体２の内部には、あらかじめ凍結させた蓄冷剤（図示省略）が配置され、この蓄冷剤の冷気が庫内に除々に放出されて、庫内で前記保冷物品を保冷する。前記保冷庫本体２には、前記蓄冷剤を凍結させる冷凍サイクルが設けられていないので、前記蓄冷剤は、外部の冷凍サイクルの運転により凍結させたものを使用する。なお、前記保冷庫本体２に冷凍サイクルを付設し、この冷凍サイクルの構成要素である蒸発器を前記蓄冷剤と重ねて庫内に配置してもよい。前記冷凍サイクルを付設することで、保冷庫１の移動前に蓄冷剤を前記蒸発器で凍結させて、保冷庫１の保冷物品を保冷移動する。
【００１４】
上記保冷庫本体２の底面の四隅のそれぞれには、上記キャスタ３を取り付けるための複数のねじ穴１２が所定の取り付け位置に設けられる。この取り付け位置は、後述する前記キャスタ３の座板７を、その四隅に設けた一の取り付け孔８にねじ９を通して吊り下げた状態で、前記保冷庫本体２の底面に当てがった際、前記座板７の各取り付け孔８と合う位置に設けられる。
【００１５】
上記保冷庫本体２に取り付けられたキャスタ３は、図２に示すように、車輪５と、前記車輪５を支持するアーム６と、正方形の座板７とからなる。この座板７は、その２本の対角線の交点を通る垂線ａを回転軸として前記アーム６が回転可能に取り付けられ、この座板７の四隅の対角線上にねじ９を通す取り付け孔８が設けられている。なお、前記キャスタ３の座板７は、正方形に限られず、例えば、三角形、長方形、五角形、などの多角形、または、円形でもよい。また、その取り付け孔８の数も、４個に限られず、３個、５個、６個…でもよい。要は、キャスタ３が、座板７を介して保冷庫本体２の底面に対して安定して取り付けることができればよい。
【００１６】
このキャスタ３を保冷庫本体２に取り付けるには、まず、上記保冷庫本体２を倒し、その底面が正面となるように置く。次に、上記キャスタ３の座板７を、その一の取り付け孔８にねじ９を通して吊り下げる。座板７を吊り下げると、座板７に対して回転可能に設けたアーム６が回転し、このアーム６に支持される車輪３がその自重で垂れ下がるとともに、ねじ９を通した取り付け孔８を通る対角線が上下方向となる。このとき、図３に示すように、座板７の他の取り付け孔８と、これに対応して保冷庫本体２の底面に設けられたねじ穴１２とが同軸状態となる。
【００１７】
このため、上記座板７を吊り下げた状態で、そのねじ９を保冷庫本体２の底面の一隅に設けられたねじ穴１２のうち、最も上のものにねじ込むと、前記座板７が、前記の一の取り付け孔８を上にして、この取り付け孔８を通る対角線と保冷庫本体２の底面の側辺とが平行となるとともに、前記座板７の他の取り付け孔８の位置が、これらに対応して保冷庫本体２底面に設けられているねじ穴１２の位置と合う。このように、他の取り付け孔８は、保冷庫本体２の底面に対して所定の取り付け位置となるので、前記座板７の他の取り付け孔８にねじ９を通し、対応する前記ねじ穴１２に容易にねじ込むことができる。これにより、キャスタ３の座板７の位置合わせの必要がなくなるので、容易にキャスタ３を保冷庫本体２底面の所定の取り付け位置に取り付けることができる。
【図面の簡単な説明】
【００１８】
【図１】一実施例によってキャスタが取り付けられた保冷庫を示す斜視図
【図２】同上の保冷庫の底面図
【図３】同上の保冷庫のキャスタ取り付け状態を示す斜視図
【図４】従来の保冷庫底面にキャスタを取り付けた底面図
【図５】従来の保冷庫のキャスタ取り付け状態を示す底面図
【符号の説明】
【００１９】
１  保冷庫
２  保冷庫本体
３  キャスタ
４  扉
５  車輪
６  アーム
７  座板
８  取り付け孔
９  ねじ
１０  取手
１１  手掛け部
１２  ねじ穴
２１  保冷庫本体
２２  キャスタ
２３  車輪
２４  アーム
２５  座板
２６  ねじ
２７  取り付け孔
２８  ねじ穴
【図１】
2008002709.tif 000003
【図２】
2008002709.tif 000004
【図３】
2008002709.tif 000005
【図４】
2008002709.tif 000006
【図５】
2008002709.tif 000007